(57)【特許請求の範囲】
【請求項１】
キャビン部内における左右方向中央位置に配した運転席前方のダッシュボードに配設するスピードスプレーヤの情報表示装置において、前記ダッシュボードの左端部又はその近傍に、ディスプレイ部を収容可能な収容凹部を設け、かつこの収容凹部の内部に前記ディスプレイ部を収容し、前記収容凹部の底部に設けた長孔部とこの底部の下方から前記長孔部を通して前記ディスプレイ部の底面又はこのディスプレイ部に固定した支持部材に螺合するグリップ部を有する固定用ネジ部とを備えることにより、前記ディスプレイ部の少なくとも水平方向における向き及び前後方向における位置を変更可能な取付手段を介して当該ディスプレイ部を取付けるとともに、前記収容凹部の上方及び／又は左方に位置する前記ダッシュボードに、前記ディスプレイ部の少なくとも一部を覆うフード部を設けてなることを特徴とするスピードスプレーヤの情報表示装置。
【請求項２】
前記フード部は、前記ダッシュボードに対して一体に形成してなることを特徴とする請求項１記載のスピードスプレーヤの情報表示装置。
【請求項３】
前記フード部は、前記ダッシュボードに対して別体に形成し、かつ前記ダッシュボードに対して着脱可能に構成してなることを特徴とする請求項１記載のスピードスプレーヤの情報表示装置。
【発明の詳細な説明】
【技術分野】
【０００１】
本発明は、運転席前方のダッシュボードに配設するディスプレイを備えるスピードスプレーヤの情報表示装置に関する。
【背景技術】
【０００２】
従来、ボディの前部にキャビン部を有するとともに、このキャビン部の後方に薬液タンクを搭載することにより、果樹園等の圃場で走行しながら所定範囲に農薬散布を行うことができるようにしたキャビンタイプのスピードスプレーヤは知られており、同タイプのスピードスプレーヤは特許文献１に開示されている。
【０００３】
同文献１に開示されるスピードスプレーヤは、特に、キャビン部の居住性及び安全性（運転性）を高め、かつ室内を均一に温調して快適性を高めるとともに、別途の送風ダクトや吹出口等を設けることなくフロントガラスに対する曇り止め作用を確保することを目的としたものであり、具体的には、ボディの前部に左右方向中央位置に配した運転席を備えるキャビン部を有するとともに、このキャビン部の後方に薬液タンクを搭載してなるスピードスプレーヤであって、運転席の後方位置に、空調装置の室内機を配設するとともに、運転席の右方位置及び左方位置に、キャビン部の背面に配したリアパネル部を背にして前方に向けた左右一対の吹出口を配設し、室内機と吹出口をダクト部材により接続して構成したものである。
【先行技術文献】
【特許文献】
【０００４】
【特許文献１】特開２００９−１５４５５０号公報
【発明の概要】
【発明が解決しようとする課題】
【０００５】
しかし、上述した従来におけるキャビンタイプのスピードスプレーヤは、次のような解決すべき課題が存在した。
【０００６】
即ち、通常、この種のスピードスプレーヤにおけるキャビン部は、高さが低くかつ横幅が狭いため、運転席はキャビン部の左右方向中央の低位置に設置している。したがって、ダッシュボードも狭くならざるを得ず、このダッシュボードに配設する表示部及び操作部は量的にも質的にも限界がある。一方、乗用自動車の分野では、表示情報をより多く、かつ見易くするために、液晶ディスプレイ等の比較的大型のディスプレイを配設する場合も多いが、このようなディスプレイをスピードスプレーヤに搭載する場合、ダッシュボードの端となる窓に近接した位置に配設せざるを得ない。しかも、運転席の後方には隣接したリアウィンドウを備えるため、低位置の運転席からディスプレイを見た場合、画面に光が映り込みやすく、この種ディスプレイの適切な設置が困難となる。
【０００７】
他方、ディスプレイにおける画面への光の映り込みを回避するには、ディスプレイをディスプレイスタンド等により支持するとともに、ダッシュボードに対してオンダッシュ方式により外付けし、光の映り込みが生じない位置及び角度を選定することも対応策として考えられるが、前述したように、キャビン部は全体が狭く、キャビン部内における突出物の存在は、運転者にとって視界が遮ぎられる原因となる。結局、操作や運転に支障が生じるなど、適切な設置が困難となる。
【０００８】
本発明は、このような背景技術に存在する課題を解決したスピードスプレーヤの情報表示装置の提供を目的とするものである。
【課題を解決するための手段】
【０００９】
本発明に係るスピードスプレーヤＭの情報表示装置１は、上述した課題を解決するため、キャビン部２内における左右方向中央位置に配した運転席３前方のダッシュボード４に配設する情報表示装置を構成するに際して、ダッシュボード４の左端部４ｑ又はその近傍に、ディスプレイ部５を収容可能な収容凹部６を設け、かつこの収容凹部６の内部にディスプレイ部５を収容し、収容凹部６の底部６ｄに設けた長孔部１１とこの底部６ｄの下方から長孔部１１を通してディスプレイ部５の底面５ｄ又はこのディスプレイ部５に固定した支持部材１２に螺合するグリップ部１３ｈを有する固定用ネジ部１３とを備えることにより、ディスプレイ部５の少なくとも水平方向Ｆｈにおける向きＤｈ及び前後方向Ｆｓにおける位置Ｘｓを変更可能な取付手段７を介して当該ディスプレイ部５を取付けるとともに、収容凹部６の上方及び／又は左方に位置するダッシュボード４に、ディスプレイ部５の少なくとも一部を覆うフード部１４を設けてなることを特徴とする。
【００１０】
この場合、発明の好適な態様により、フード部１４は、ダッシュボード４に対して一体に形成してもよいし、ダッシュボード４に対して別体に形成し、かつダッシュボード４に対して着脱可能に構成してもよい。
【発明の効果】
【００１１】
このような構成を有する本発明に係るスピードスプレーヤＭの情報表示装置１によれば、次のような顕著な効果を奏する。
【００１２】
（１）  ダッシュボード４に、ディスプレイ部５を収容可能な収容凹部６を設け、この収容凹部６の内部にディスプレイ部５を収容するとともに、ディスプレイ部５の少なくとも水平方向Ｆｈにおける向きＤｈ及び前後方向Ｆｓにおける位置Ｘｓを変更可能な取付手段７を介して当該ディスプレイ部５を取付けてなるため、スピードスプレーヤＭのように、ダッシュボード４が狭く、かつディスプレイ画面に光が映り込む位置にあっても、ディスプレイ画面の十分な視認性を確保するとともに、円滑な薬液噴霧及び運転に係わる操作を確保し、液晶ディスプレイ等の比較的大型のディスプレイ部５を確実に搭載することができる。
【００１３】
（２）  収容凹部６は、ダッシュボード４の左端部４ｑ又はその近傍に設けたため、スピードメータや薬液噴霧に係わる各種操作スイッチ等をダッシュボード４の中央寄りに配設でき、狭いダッシュボード４であっても、重要な表示及び操作に係わる視認性及び操作性を損なうことなく、情報表示能力（情報伝達能力）を、より高めることができる。
【００１４】
（３）  取付手段７を構成するに際し、収容凹部６の底部６ｄに設けた長孔部１１と、底部６ｄの下方から長孔部１１を通してディスプレイ部５の底面５ｄ又はこのディスプレイ部５に固定した支持部材１２に螺合するグリップ部１３ｈを有する固定用ネジ部１３とを備えて構成したため、固定用ネジ部１３の操作によりディスプレイ部５の少なくとも水平方向Ｆｈの向きＤｈ及び前後方向Ｆｓの位置Ｘｓを自在かつ容易に変更でき、運転者の身長や運転姿勢等に対応させてディスプレイ部５の向きＤｈ及び位置Ｘｓを最適な状態に設定できるとともに、ディスプレイ部５の交換も容易に行うことができる。
【００１５】
（４）  収容凹部６の上方及び／又は左方に位置するダッシュボード４に、ディスプレイ部５の少なくとも一部を覆うフード部１４を設けたため、フード部１４の遮光機能により、ディスプレイ画面に対する光の映り込みを、より確実に防止できるとともに、ディスプレイ部５の向きＤｈ及び位置Ｘｓの設定を、より柔軟に行うことができる。
【００１６】
（５）  好適な態様により、フード部１４を、ダッシュボード４に対して一体に形成すれば、ダッシュボード４との一体性を高めることができるため、キャビン部２内の形状性（デザイン性）及び品質性を、より高めることができる。
【００１７】
（６）  好適な態様により、フード部１４を、ダッシュボード４に対して別体に形成し、かつダッシュボード４に対して着脱可能に構成すれば、必要により、形状や大きさ等の異なる他のフード部との交換を容易に行うことができる。
【図面の簡単な説明】
【００１８】
【図１】本発明の好適実施形態に係る情報表示装置の分解斜視図、
【図２】同情報表示装置の斜視図、
【図３】同情報表示装置を含むキャビン部内のレイアウトを示す斜視図、
【図４】同情報表示装置の断面構成図、
【図５】同情報表示装置を配設したダッシュボードのレイアウト図、
【図６】同情報表示装置の配設位置を示すキャビン部の一部破断平面構成図、
【図７】同情報表示装置の作用説明図、
【図８】同情報表示装置を搭載したスピードスプレーヤの全体外観側面図、
【図９】本発明の変更実施形態に係る情報表示装置の断面構成図、
【発明を実施するための形態】
【００１９】
次に、本発明に係る好適実施形態を挙げ、図面に基づき詳細に説明する。
【００２０】
まず、本実施形態に係る情報表示装置１を搭載するキャビンタイプのスピードスプレーヤＭの概略構成について、図５，図６及び図８を参照して説明する。
【００２１】
図８は、スピードスプレーヤＭ全体の外観構成を示す。スピードスプレーヤＭは、シャーシ２１を備え、このシャーシ２１の前側に左右一対の前輪２２ｐ，２２ｑを備えるとともに、後側に左右一対の後輪２３ｐ，２３ｑを備え、前輪２２ｐ，２２ｑ及び後輪２３ｐ，２３ｑは、搭載されるエンジンにより四輪駆動される。また、２４はスピードスプレーヤＭのボディであり、このボディ２４の前部をキャビン部２として構成するとともに、後部を薬液タンク２５及びエンジンルーム２６として構成する。さらに、エンジンルーム２６の後方には、噴霧ノズル（図示を省略）を配した噴霧機構２７及び送風ファンを配した送風機構２８を搭載する。
【００２２】
キャビン部２は、図６に示すように、ボディ２４を構成するキャビンパネル２ｐにより全体が覆われるとともに、キャビン部２の右側にはヒンジ機構を介して開閉する右ウィンドウを有する開閉ドア３１を付設する。キャビンパネル２ｐは、キャビン部２における左側に位置する左ウィンドウを有するサイドパネル部２ｐｑ，上端に位置するルーフパネル部２ｐｕ，前側に位置するフロントウィンドウを有するフロントパネル部２ｐｆ及び背面に位置するリアウィンドウを有するリアパネル部２ｐｒを備える。なお、３２ｐ，３２ｑはバックミラーを示す。
【００２３】
一方、キャビン部２の内部において、左右方向中央位置には運転席３を配設するとともに、運転席３の前方にはダッシュボード４を配設する。なお、運転席３の後方には、上述したリアパネル部２ｐｒが隣接して配設される。さらに、ダッシュボード４には、図５に示すように、左右方向中央部にスピードメータ３３ｓ等の走行系の計器類３３を配設するとともに、この計器類３３の右側には、走行系に係わる第一操作パネル３４を配設する。また、計器類３３の左側には、薬液噴霧系に係わる各種操作スイッチ３５ｓ…を含む第二操作パネル３５を配設するとともに、この第二操作パネル３５の左側に位置する空スペースには、本実施形態に係る情報表示装置１を配設する。なお、３６は、運転席３の前方に配したステアリングホイールを示す。
【００２４】
次に、本実施形態に係る情報表示装置１の構成について、図１〜図８を参照して具体的に説明する。
【００２５】
まず、ダッシュボード４には、ディスプレイ部５を収容可能な収容凹部６を設ける。収容凹部６は、図５に示すように、ダッシュボード４の左端部４ｑ（又はその近傍）に設ける。このように、収容凹部６を、ダッシュボード４の左側端部４ｑ又はその近傍に設ければ、スピードメータ３３ｓや薬液噴霧に係わる各種操作スイッチ３５ｓ…等をダッシュボード４の中央寄りに配設できるため、狭いダッシュボード４であっても、重要な表示及び操作に係わる視認性及び操作性を損なうことなく、情報表示能力（情報伝達能力）をより高めることができる利点がある。また、収容凹部６の大きさ及び形状は、収容するディスプレイ部５の大きさ及び形状を考慮し、特に、ディスプレイ部５を収容した際に、水平方向Ｆｈにおける向きＤｈ及び前後方向Ｆｓにおける位置Ｘｓの変更を許容するとともに、フィッティング性を確保できるように形成する。
【００２６】
一方、収容凹部６には取付手段７を配設する。取付手段７はディスプレイ部５の少なくとも水平方向Ｆｈにおける向きＤｈ及び前後方向Ｆｓにおける位置Ｘｓを変更可能に支持する（取付ける）機能を備える。したがって、取付手段７は、収容凹部６の底部６ｄに設けた長孔部１１と、底部６ｄの下方から長孔部１１を通してディスプレイ部５に固定した支持部材１２に螺合する固定用ネジ部１３とを備えて構成する。
【００２７】
この場合、収容凹部６の底部６ｄは、図４に示すように、プレート部位として形成する。これにより、底部６ｄの下面６ｄｄは、キャビン部２内のフロアに対面するため、運転者は運転席３に着座した状態で下面６ｄｄに開口する長孔部１１に対して固定用ネジ部１３を挿入可能となる。また、長孔部１１は、図１に示すように、底部６ｄの左右方向のほぼ中央位置に前後方向に長いスリット状に形成する。さらに、支持部材１２には、図１及び図４に示すように、鉛直面部１２ｖと水平面部１２ｈを有するＬ形金具を用い、鉛直面部１２ｖを固定ネジ１６，１６によりディスプレイ部５の背面に固定する。この際、水平面部１２ｈは、ディスプレイ部５の底面に位置するように考慮するとともに、水平面部１２ｈの略中央位置にはネジ孔部１２ｎを設ける。一方、このネジ孔部１２ｓｎに螺合可能な固定用ネジ部１３を用意する。この固定用ネジ部１３の頭部には、運転者が手で持つことにより操作可能なグリップ部１３ｈを一体に設ける。
【００２８】
他方、ダッシュボード４には、ディスプレイ部５の少なくとも一部を覆うフード部１４を設ける。例示の場合、収容凹部６の上方及び左方に位置するダッシュボード４に、フード部１４を一体に形成した。このように、ダッシュボード４に、ディスプレイ部５の少なくとも一部を覆うフード部１４を設ければ、フード部１４の遮光機能により、ディスプレイ画面５ｖに対する光の映り込みをより確実に防止できるとともに、ディスプレイ部５の向きＤｈ及び位置Ｘｓの設定をより柔軟に行うことができる。特に、例示のように、フード部１４を、ダッシュボード４に対して一体に形成すれば、ダッシュボード４との一体性を高めることができるため、キャビン部２内の形状性（デザイン性）及び品質性をより高めることができる利点がある。
【００２９】
次に、本実施形態に係る情報表示装置１の組付方法及び使用方法について、図１〜図８を参照して説明する。
【００３０】
まず、搭載するディスプレイ部５を用意し、前述したように、ディスプレイ部５の背面に支持部材１２の鉛直面部１２ｖを固定ネジ１６，１６を用いて固定する。ディスプレイ部５には、薄型かつ比較的大型の液晶ディスプレイ等を用いることができる。そして、ディスプレイ部５を収容凹部６の内部に収容する。この際、ディスプレイ部５から導出する電源及び信号のケーブル類はダッシュボード４側に備えるコネクタ等に接続する。
【００３１】
また、固定用ネジ部１３を用意し、この固定用ネジ部１３を収容凹部６の底部６ｄの下方から長孔部１１に通した後、支持部材１２の水平面部１２ｈに設けたネジ孔部１２ｎに螺合する。これにより、固定用ネジ部１３を締付ければ、ディスプレイ部５を収容凹部６内に固定することができる。
【００３２】
一方、運転者は、固定用ネジ部１３を操作することにより、ディスプレイ部５の水平方向Ｆｈの向きＤｈ及び前後方向Ｆｓの位置Ｘｓを変更できる。この場合、運転者は、運転席３に着座した状態で固定用ネジ部１３を緩め、ディスプレイ部５の位置Ｘｓ及び向き（角度）Ｄｈを調整（変更）し、特に、外光の映り込みが生じない位置Ｘｓ及び向き（角度）Ｄｈに設定する。そして、設定が終了したなら、再度、固定用ネジ部１３を締付け、ディスプレイ部５を固定すればよい。このように、取付手段７として、収容凹部６の底部６ｄに設けた長孔部１１と、底部６ｄの下方から長孔部１１を通してディスプレイ部５の底面５ｄ又はこのディスプレイ部５に固定した支持部材１２に螺合する固定用ネジ部１３とを備えて構成すれば、固定用ネジ部１３の操作によりディスプレイ部５の水平方向Ｆｈの向きＤｈ及び前後方向Ｆｓの位置Ｘｓを自在かつ容易に変更できるため、運転者の身長や運転姿勢等に対応させてディスプレイ部５の向きＤｈ及び位置Ｘｓを最適な状態に設定できるとともに、ディスプレイ部５の交換も容易に行える利点がある。
【００３３】
よって、このような本実施形態に係るスピードスプレーヤＭの情報表示装置１によれば、ダッシュボード４に、ディスプレイ部５を収容可能な収容凹部６を設け、この収容凹部６の内部にディスプレイ部５を収容するとともに、ディスプレイ部５の少なくとも水平方向Ｆｈにおける向きＤｈ及び前後方向Ｆｓにおける位置Ｘｓを変更可能な取付手段７を介して当該ディスプレイ部５を取付けてなるため、スピードスプレーヤＭのように、ダッシュボード４が狭く、かつディスプレイ画面に光が映り込む位置にあっても、ディスプレイ画面の十分な視認性を確保するとともに、円滑な薬液噴霧及び運転に係わる操作を確保し、液晶ディスプレイ等の比較的大型のディスプレイ部５を確実に搭載できる。
【００３４】
次に、本発明の変更実施形態に係る情報表示装置１について、図９を参照して説明する。図９に示す情報表示装置１は、図１〜図８に示した情報表示装置１に対して基本的な構成は同様となるが、フード部１４を構成するに際して、ダッシュボード４に対して別体に形成し、かつダッシュボード４に対して着脱可能に構成した点が異なる。即ち、ダッシュボード４に対して別体に形成したフードユニット１４ｐを用意し、このフードユニット１４ｐの前端に一体形成した取付部１４ｐｃを、固定ネジ５１…を用いてダッシュボード４側に対して着脱可能に構成する。これにより、フードユニット１４ｐを取付けた際には、図４に示した収容凹部６と同様の収容凹部６が形成されるように考慮する。
【００３５】
このような変更実施形態に係るフード部１４によれば、フード部１４を、ダッシュボード４に対して別体に形成し、かつダッシュボード４に対して着脱可能に構成したため、必要により、形状や大きさ等の異なる他のフード部との交換を容易に行うことができる。なお、図９において、図４と同一部分には同一符号を付してその構成を明確にするとともに、その詳細な説明は省略する。
【００３６】
以上、好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【００３７】
例えば、長孔部１１は前後方向に長い最も単純な形状を例示したが、複数の長孔部１１…を組合わせた、より複雑な形状であってもよいし、この際、傾斜した長孔部１１…を含ませてもよい。また、フード部１４は、収容凹部６の上方及び左方に設ける場合を例示したが、収容凹部６の上方のみに設ける場合を排除するものではない。なお、フード部１４をダッシュボード４に対して一体に形成するとは、一体成形する場合及び別部品を結合して一体化する場合の双方を含む概念である。
【産業上の利用可能性】
【００３８】
本発明に係る情報表示装置は、運転席前方のダッシュボードに配設するディスプレイを備える各種スピードスプレーヤに利用できる。本発明におけるスピードスプレーヤとは、薬液を散布する各種車両が含まれ、例えば、非キャビンタイプのスピードスプレーヤも含まれる。
【符号の説明】
【００３９】
１：情報表示装置，２：キャビン部，３：運転席，４：ダッシュボード，５：ディスプレイ部，６：収容凹部，Ｆｈ：水平方向，Ｄｈ：向き，Ｆｓ：前後方向，Ｘｓ：位置，７：取付手段，４ｑ：ダッシュボードの左端部，６ｄ：収容凹部の底部，１１：長孔部，５ｄ：ディスプレイ部の底面，１２：支持部材，１３：固定用ネジ部，１３ｈ：グリップ部，１４：フード
【図１】
0005791566.tif 000002
【図２】
0005791566.tif 000003
【図３】
0005791566.tif 000004
【図４】
0005791566.tif 000005
【図５】
0005791566.tif 000006
【図６】
0005791566.tif 000007
【図７】
0005791566.tif 000008
【図８】
0005791566.tif 000009
【図９】
0005791566.tif 000010